(57)【要約】      （修正有）【課題】上下風向板を大型にしたものにおいて本体の左右方向の幅を小さくしても、上下風向板の回動軸部に装着されるバネを覆うバネ収容部の結露を防ぐことができる空気調和機を提供すること。【解決手段】本体１０の上部に吸込口を下部に吹出口１２を有し吹出口１２に回動可能に取付けられる上下風向板６０を設けた空気調和機において、上下風向板６０の両側端に形成される回動軸部６２ａ、６２ｂと、一側端の回動軸部６２ｂに連結され上下風向板６０を回動させるためのモータと、他側端の回動軸部６２ａに装着され上下風向板６０を吹出口１２を閉じる方向に付勢するバネと他側端の回動軸部６２ａとバネを覆う箱状のバネ収容部６４を備え、バネ収容部６４は空気通路に露出するように配置され、バネ収容部６４の外側壁６４１を空気通路の下流側になるに従い上下風向板６０の他側端に向けて傾斜させている。【選択図】図２
2014159897.tif 000002
【特許請求の範囲】
【請求項１】
本体と、前記本体の上部に吸込口を下部に吹出口を有し前記吹出口に回動可能に取付けられる上下風向板と、前記吸込口と前記吹出口とを結ぶ空気通路に熱交換器および送風ファンとを設けた空気調和機において、
前記上下風向板の両側端に形成される回動軸部と、前記回動軸部のうち一側端の回動軸部に連結され前記上下風向板を回動させるためのモータと、他側端の回動軸部に装着され前記上下風向板を前記吹出口を閉じる方向に付勢するバネと他側端の回動軸部と前記バネを覆う箱状のバネ収容部を備え、
前記バネ収容部は前記空気通路に露出するように配置され、前記バネ収容部の外側壁を前記空気通路の下流側になるに従い前記上下風向板の他側端に向けて傾斜させることを特徴とする空気調和機。
【発明の詳細な説明】
【技術分野】
【０００１】
本発明は、空気調和機の室内機に係わり、特に、本体の下部に有する吹出口に取付けられる上下風向板の回動軸部に装着されたバネを覆うバネ収容部の結露を防ぐための構造に関する。
【背景技術】
【０００２】
従来、空気調和機の室内機は、本体の上部に吸込口を下部に吹出口を有し、横長の吹出口の側壁間に、樹脂製の２枚の上下風向板が取付けられている。２枚の上下風向板は、吹出口から吹出される空気の気流方向を上下に偏向するもので、上下風向板の両端部に形成された回動軸部の一方に連結されるモータによって回動可能になっている。このような上下風向板は、送風性能を向上させるためや上下風向板を２枚から１枚にして部品点数を削減するためなどにより大型にすることが考えられる。
【０００３】
しかしながら、上下風向板は、一方の回動軸部はモータに連結されているが、他方の回動軸部は吹出口の側壁に形成された回動軸受に差込まれているだけとなる。このため、上下風向板は、他方の回動軸部に近い部分が、大型化した上下風向板の自重で、吹出口の上端から下方に垂れるようにねじれが生じるおそれがある。このねじれが生じるのを解決するためには、上下風向板の他方の回動軸部に、上下風向板をねじれを無くす方向に付勢するバネを装着する必要がある。この回動軸部に装着されたバネはバネ収容部で覆われている。
【０００４】
一方、空気調和機の室内機は、本体の内部に熱交換器や送風ファンが設けられ、吹出口の右側端には、送風ファンを駆動するファンモータや電装部が収容されるので、吹出口は本体の左側端に寄った構造となる。そこで、吹出口を本体の中心に対して左右対称な形状に見えるようにするため、吹出口の右側端には、吹出口のダミー部が設けられ、ダミー部の前方に上下風向板が配置されている（例えば、特許文献１参照）。
【０００５】
ところで、特許文献１のように、上下風向板の一方の回動軸部に連結されているモータは、ファンモータや電装部とともに吹出口の右側端に収容されるので、上下風向板は、一方の回動軸部がダミー部の前方に配置され、他方の回動軸部がダミー部の反対側の吹出口の左側端に配置される。ここで、上述のバネ収容部の構造を特許文献１に示す室内機に適用する場合、バネ収容部も吹出口の左側端に配置される。このような構造の室内機において、冷房運転時には、上下風向板の一方の回動軸部は、ダミー部の前方にあるため、吹出口から吹出す冷気が直接当たらず冷えることがないので結露しにくいが、上下風向板の他方の回動軸部とバネ収容部は、吹出口から吹出す冷気に直接当たる位置に露出するため、冷気が当たって冷えて結露するおそれがある。これを解決するため、上下風向板にバネ収容部を形成せず、吹出口の左側壁部にバネを内装するとともに上下風向板の他方の回動軸部が回動可能に取付けられることで結露しにくい構造にすることができる。
【先行技術文献】
【特許文献】
【０００６】
【特許文献１】特開平１１−２３７１０７号公報
【発明の概要】
【発明が解決しようとする課題】
【０００７】
しかしながら、上下風向板を大型にしたものにおいて本体の左右方向の幅を小さくするため、吹出口の左側壁部にバネを内装することを止めてしまうと、バネが吹出口から吹出される冷気に直接当たる位置に露出することになる。このため、再び、上下風向板にバネ収容部を形成すると、バネ収容部は、冷気が当たって冷やされるが、バネ収容部の前面付近は冷気の風速が小さいために、冷やされたバネ収容部の前面には室内空気が接するので、バネ収容部の前面に結露しやすいという問題点があった。
本発明は上記問題点に鑑み、上下風向板を大型にしたものにおいて本体の左右方向の幅を小さくしても、上下風向板の回動軸部に装着されるバネを覆うバネ収容部の結露を防ぐことができる空気調和機を提供することを目的とする。
【課題を解決するための手段】
【０００８】
上記課題を解決するため、本発明の空気調和機は、本体と、本体の上部に吸込口を下部に吹出口を有し吹出口の長手方向に回動可能に取付けられる上下風向板と、吸込口と吹出口とを結ぶ空気通路に熱交換器および送風ファンとを設け、上下風向板の両側端に形成される回動軸部と、回動軸部のうち一側端の回動軸部に連結され前記上下風向板を回動させるためのモータと、他側端の回動軸部に装着され上下風向板を吹出口を閉じる方向に付勢するバネと、他側端の回動軸部とバネを覆う箱状のバネ収容部とを備え、バネ収容部は空気通路に露出するように配置され、バネ収容部の外側壁を空気通路の下流側になるに従い上下風向板の他側端に向けて傾斜させる。
【発明の効果】
【０００９】
本発明の空気調和機によれば、上下風向板を大型にした空気調和機において本体の左右方向の幅を小さくしても、上下風向板の回動軸部に装着されたバネを覆うバネ収容部への結露を防ぐことができる。
【図面の簡単な説明】
【００１０】
【図１】本発明による空気調和機の室内機を示す説明図で、（ａ）は外観斜視図、（ｂ）は断面図である。
【図２】本発明による空気調和機の室内機を示す説明図で、（ａ）は右斜め前方から視た分解斜視図、（ｂ）は左斜め前方から視た外観斜視図である。
【図３】本発明による空気調和機の室内機の上下風向板を示す説明図で、（ａ）は右斜め前方から視た部分拡大斜視図、（ｂ）は左斜め前方から視た部分拡大斜視図である。
【図４】本発明による空気調和機の室内機を示す説明図で、（ａ）は断面図、（ｂ）は部分概略断面図である。
【図５】図４（ｂ）のバネ収容部による効果の違いを比較するためのバネ収容部を示す部分概略断面図である。
【発明を実施するための形態】
【００１１】
以下、本発明の実施形態を添付図面に基づき詳細に説明する。本実施形態による空気調和機の室内機として、図１乃至図４に示すように、壁掛型の室内機１を例に挙げて説明する。図１および図２に示すように、室内機１は、上下方向に比べ左右方向に長い箱状の本体１０を備え、本体１０の上部には吸込口１１が形成され、本体１０の下部には吹出口１２が形成されている。本体１０の内部には、吸込口１１と吹出口１２とを結ぶ空気通路１３に上流から下流に向かって熱交換器２０、送風ファン３０がそれぞれ配置されている。室内機１は、吸込口１１から吸込んだ室内の空気を熱交換器２０で冷媒と熱交換し、送風ファン３０の回転により熱交換された空気を吹出口１２から室内に吹出す構造になっている。
【００１２】
空気通路１３は、本体１０の内部の右側端部に図示しない電装品箱や送風ファン３０を駆動する図示しないファンモータが収容されているため本体１０の中央から左寄りの位置に形成されているので、空気通路１３に連なる吹出口１２を、本体１０を正面から視て左右対称な形状にするため、図２に示すように、吹出口１２の右側端部にはダミー部１２０が形成されている。また、吹出口１２には、複数枚の左右風向板４０と、複数枚の左右風向板４０よりも空気通路１３の下流側に１つのディフューザ５０と１枚の上下風向板６０とがそれぞれ回動可能に取付けられ、左右風向板４０と、ディフューザ５０および上下風向板６０との間にはファンガード７０が取付けられている。
【００１３】
左右風向板４０は、複数枚が連動するように連結棒で連結されており、室内に吹出す空気の風向きを左右に偏向するものである。ディフューザ５０は、略板状で吹出口１２と同じ幅に形成され、空気通路１３の下部先端であって吹出口１２の下部に取付けられ、冷房運転と暖房運転の際に上下風向板６０と連動して吹出口１２の下部の形状を変更するものである。図１（ｂ）に示すディフューザ５０は冷房運転時の位置を示しており、ディフューザ５０を水平にし、吹出口１２から吹出す冷気を水平方向に流れるようにする。暖房運転時にはこれよりもディフューザ５０を下向きにし、吹出口１２から吹出す暖気を床面方向に流れるようにする。上下風向板６０は、ディフューザ５０と同様に板状で吹出口１２と同じ幅に形成され、室内に吹出す空気の風向きを上下に偏向するものである。ファンガード７０は、ワイヤーにより格子状に形成され、吹出口１２から送風ファン３０に手指が届かないようにガードするものである。
【００１４】
上下風向板６０の幅方向の中間部には、図２（ａ）および図３に示すように、上下風向板６０の上面６５の後端部から立設された支柱より幅方向に突出する円筒状の軸部６１が２カ所に間隔をあけて形成されている。図１（ｂ）に示すように、軸部６１は、吹出口１２の上壁から吊下げられた支持腕の下端に形成された第１軸受部１４に支持されている。また、上下風向板６０の左右の側端には、上下風向板６０の上面６５の後端部から立設された支柱より幅方向に突出する円筒状の回動軸部６２ａ、６２ｂがそれぞれ軸部６１と同じ軸線上に形成されている。図２および図４に示すように、各回動軸部６２ａ、６２ｂは、吹出口１２の左側壁１２１と右側壁１２２に形成された第２軸受部１５に支持されている。このような構造の上下風向板６０は、吹出口１２の左側壁１２１と右側壁１２２との間に軸部６１および回動軸部６２ａ、６２ｂを軸として上下に回動可能に取付けられている。
【００１５】
上下風向板６０の右側端の回動軸部６２ｂは、図４に示すように、モータ８０の駆動軸８１に連結されており、上下風向板６０を回動するようになっている。また、モータ８０に連結された回動軸部６２ｂの反対側となる上下風向板６０の左側端の回動軸部６２ａには、図３に示すように、コイルバネ６３が装着されており、このコイルバネ６３は、バネ収容部６４により覆われている。バネ収容部６４は、回動軸部６２ａの根元側に一体的に形成され、吹出口１２の左側壁１２１に形成された第２軸受部１５に支持される回動軸部６２ａの先端側が開放された箱状に形成されている。
【００１６】
バネ収容部６４は、上下風向板６０の上面６５の後端部の左側端に設けられ、上方に向けて膨出した箱状であり、外側が空気通路１３に露出されており、内側にコイルバネ６３の一端６３０が係止される係止片６４０が形成されている。コイルバネ６３の他端６３１は、吹出口１２の左側壁１２１内に形成された図示しない係止部に係止されている。このように、バネ収容部６４により覆われ回動軸部６２ａに装着されたコイルバネ６３によって、上下風向板６０を吹出口１２を閉じる方向に付勢するようになっている。また、バネ収容部６４の外側壁６４１には、空気通路１３の下流側になるに従い上下風向板６０の左側端に向けて傾斜させた傾斜部６４２が形成され、吹出口１２のバネ収容部６４の近傍から吹出す空気が傾斜部６４２に沿って左側前方に流れるようになっている。
【００１７】
次に、上下風向板６０のバネ収容部６４に形成された傾斜部６４２による作用について説明する。図４（ｂ）に示すように、バネ収容部６４は、吹出口１２から吹出される空気が直接当たる位置に露出しているため、冷房運転時には、バネ収容部６４の上流側に実線矢印のように冷気Ａが当たってバネ収容部６４が冷やされる。一方、バネ収容部６４の傾斜部６４２に沿って実線矢印のように左側前方に広がるようにバネ収容部６４の前方に冷気Ｂが吹出される。
【００１８】
これにより、バネ収容部６４は、冷気Ａが当たって冷やされるが、冷やされたバネ収容部６４の前方には冷気Ｂが流れているため室内空気が接することがないので、バネ収容部６４の下流側への結露を防止することができる。
【００１９】
これに対して、上下風向板６０のバネ収容部６４に傾斜部６４２を形成しない場合について説明する。図５に示すように、バネ収容部６６の外側壁６６１は傾斜部がないので、吹出口１２のバネ近傍から吹出す空気に平行な側壁６６２と垂直な側壁６６３が形成されたものとなり、バネ収容部６６の前方に空気が吹出されることがない。
【００２０】
バネ収容部６６は、上述のバネ収容部６４と同様に、吹出口１２から吹出される空気が直接当たる位置に露出しているため、冷房運転時には、バネ収容部６６の上流側に実線矢印のように冷気Ｃが当たってバネ収容部６６が冷やされる。一方、バネ収容部６６の側壁６６２に沿って実線矢印のように前方に冷気Ｄが吹出される。
【００２１】
これにより、バネ収容部６６は、冷気Ｃが当たって冷やされるが、バネ収容部６６の前方付近は冷気Ｄの風速が小さいために、冷やされたバネ収容部６６の側壁６６３には室内空気が接するので、バネ収容部６６の側壁６６３に結露Ｅが生じることになる。
【００２２】
以上説明してきた実施形態による空気調和機の室内機１によれば、上下風向板６０は、上下風向板６０の両側端に形成される回動軸部６２ａ、６２ｂと、一側端の回動軸部６２ｂに連結され上下風向板６０を回動させるためのモータ８０と、他側端の回動軸部６２ａに装着され上下風向板６０を吹出口１２を閉じる方向に付勢するコイルバネ６３と他側端の回動軸部６２ａとコイルバネ６３を覆う箱状のバネ収容部６４を備えている。これにより、送風性能を向上させるためや上下風向板を２枚から１枚にして部品点数を削減するためなどにより上下風向板６０を大型にしても、モータ８０に連結された回動軸部６２ｂの反対側になる他側端の回動軸部６２ａに近い部分が、大型化した上下風向板６０の自重で、吹出口１２の上端から下方に垂れるようにねじれることなく、上下風向板６０と吹出口１２との間に隙間が生じるのを防ぐことができる。
【００２３】
また、バネ収容部６４は、空気通路１３に露出するように配置され、バネ収容部６４の外側壁６４１を空気通路１３の下流側になるに従い上下風向板６０の他側端に向けて傾斜させている。これにより、上下風向板６０を大型にした空気調和機において本体１０の左右方向の幅を小さくするため、吹出口１２の左側端部にバネ収容部６４を配置しても、上下風向板６０の他側端の回動軸部６２ａに一体形成されるバネ収容部６４の下流側への結露を防ぐことができる。
【００２４】
なお、本実施形態では、バネ収容部６４は、上下風向板６０の他側端の回動軸部６２ａの根元側と一体形成されているが、本発明はこれに限らず、バネ収容部６４を回動軸部６２ａと別体形成してもよい。また、本実施形態では、上下風向板６０にバネ収容部６４を備えるようにしたが、ディフューザ５０にバネ収容部を備えるようにしてもよい。この場合、ディフューザ５０は、コイルバネを装着した回動軸部に一体形成されるバネ収容部の外側壁に、空気通路１３の下流側になるに従いディフューザ５０の他側端に向けて傾斜させた傾斜部を形成することで、ディフューザ５０の回動軸部に一体形成されるバネ収容部の下流側の結露を防ぐことができる。
【符号の説明】
【００２５】
１  室内機
１０  本体
１１  吸込口
１２  吹出口
１２０  ダミー部
１２１  左側壁
１２２  右側壁
１３  空気通路
１４  第１軸受部
１５  第２軸受部
２０  熱交換器
３０  送風ファン
４０  左右風向板
５０  ディフューザ
６０  上下風向板
６１  軸部
６２ａ、６２ｂ  回動軸部
６３  コイルバネ
６３０  一端
６３１  他端
６４、６６  バネ収容部
６４０  係止片
６４１、６６１  外側壁
６４２  傾斜部
６５  上面
６６２、６６３  側壁
７０  ファンガード
８０  モータ
８１  駆動軸
Ａ、Ｂ、Ｃ、Ｄ  冷気
Ｅ  結露
【図１】
2014159897.tif 000003
【図２】
2014159897.tif 000004
【図３】
2014159897.tif 000005
【図４】
2014159897.tif 000006
【図５】
2014159897.tif 000007